(57)【要約】この出願の実施形態は、同期方法及びアクセスポイントを提供し、前記方法は、第２のアクセスポイントによって、第１のアクセスポイントによって送信されたモノラル信号を受信するステップと、第２のアクセスポイントによって、モノラル信号に基づいて、第１のキャリアと第２のキャリアとの間の周波数オフセットを決定するステップであって、第１のキャリアは、第１のアクセスポイントによってモノラル信号を送信するために利用され、第２のキャリアは、第２のアクセスポイントによってモノラル信号を受信するために利用される、ステップと、第２のアクセスポイントによって、第２のキャリアの位相と第１のキャリアの位相との間の差が第１の閾値以下となるように、周波数オフセットに基づいてターゲットデータフレーム上での位相補償を実行するステップと、第２のアクセスポイントによって、第２のキャリアを利用することによって、位相補償されたターゲットデータフレームを送信するステップとを含む。この出願の実施形態によれば、システムエラーレートが低減できる。
2021500821.tif 000002
【特許請求の範囲】
【請求項１】
第２のアクセスポイントによって、第１のアクセスポイントによって送信されたモノラル信号を受信するステップと、
前記第２のアクセスポイントによって、前記モノラル信号に基づいて第１のキャリアと第２のキャリアとの間の周波数オフセットを決定するステップであって、前記第１のキャリアは、前記モノラル信号を送信するために前記第１のアクセスポイントによって利用され、前記第２のキャリアは、前記モノラル信号を受信するために前記第２のアクセスポイントによって利用される、ステップと、
前記第２のアクセスポイントによって、前記第２のキャリアの位相と前記第１のキャリアの位相との間の差が第１の閾値以下になるように、前記周波数オフセットに基づいてターゲットデータフレーム上での位相補償を実行するステップと、
前記第２のアクセスポイントによって、前記第２のキャリアを利用することによって、位相補償されたターゲットデータフレームを送信するステップと、
を含む、同期方法。
【請求項２】
第１のアクセスポイントによって送信されたモノラル信号を第２のアクセスポイントによって受信する前記ステップの前に、前記方法は、
前記第２のアクセスポイントによって、前記第１のアクセスポイントによって送信された指示情報を受信するステップであって、前記指示情報は、前記モノラル信号の以下のパラメータ、即ち、前記モノラル信号の元の周波数、及び前記モノラル信号の時間的な位置、を示すために利用される、ステップさらに含む、
請求項１に記載の方法。
【請求項３】
単位時間における前記モノラル信号の位相差変化の大きさは、前記モノラル信号の期間内での複数のサンプリング時点における位相差によって決定される、
請求項１又は２に記載の方法。
【請求項４】
前記第２のアクセスポイントによって、前記周波数オフセットに基づいて、ターゲットデータフレーム上での位相補償を実行する前記ステップは、特に、
前記第２のアクセスポイントによって、前記ターゲットデータフレームの開始時点での前記周波数オフセットに基づいて、前記ターゲットデータフレーム上での位相補償を実行するステップ、又は
前記第２のアクセスポイントによって、前記ターゲットデータフレームの開始時点より前の前記周波数オフセットに基づいて、前記ターゲットデータフレーム上での位相補償を実行するステップ、又は
前記第２のアクセスポイントによって、前記ターゲットデータフレームの開始時点より後の前記周波数オフセットに基づいて、前記ターゲットデータフレーム上での位相補償を実行するステップである、
請求項１に記載の方法。
【請求項５】
前記第２のアクセスポイントが前記位相補償されたターゲットデータフレームを送信する時点は、前記第１のアクセスポイントが前記ターゲットデータフレームを送信する時点と同じであり、
前記第１のアクセスポイントが前記ターゲットデータフレームを送信する前記時点は、第１の時点であり、前記第１の時点は、前記第１のアクセスポイントが位相ジャンプ値を送信する時点から第１の時間間隔だけ離れた時点であり、前記位相ジャンプ値は、前記モノラル信号に含まれ、
前記第２のアクセスポイントが前記位相補償されたターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプエッジは、前記位相ジャンプ値に関連付けられている、
請求項１に記載の方法。
【請求項６】
第１のアクセスポイントによって、モノラル信号を生成するステップであって、前記モノラル信号は、第１のキャリアと第２のキャリアとの間の周波数オフセットを決定するために利用され、前記第１のキャリアは、前記第１のアクセスポイントによって、前記モノラル信号を送信するために利用され、前記第２のキャリアは、第２のアクセスポイントによって、前記モノラル信号を受信するために利用される、ステップと、
前記第１のアクセスポイントによって、前記モノラル信号を前記第２のアクセスポイントに送信するステップと
を含む、同期方法。
【請求項７】
前記第１のアクセスポイントによって、前記モノラル信号を前記第２のアクセスポイントに送信する前記ステップより前に、前記方法は、
前記第１のアクセスポイントによって、指示情報を前記第２のアクセスポイントに送信するステップであって、前記指示情報は、前記モノラル信号の以下のパラメータ、即ち、前記モノラル信号の元の周波数、及び前記モノラル信号の時間的な位置、を示すために利用される、ステップをさらに含む、
請求項６に記載の方法。
【請求項８】
単位時間における前記モノラル信号の位相差変化の大きさは、前記モノラル信号の期間内での複数のサンプリング時点における位相差によって決定される、
請求項６又は７に記載の方法。
【請求項９】
前記第２のアクセスポイントが、位相補償されたターゲットデータフレームを送信する時点は、前記第１のアクセスポイントが前記ターゲットデータフレームを送信する時点と同じであり、
前記第１のアクセスポイントが前記ターゲットデータフレームを送信する前記時点は、第１の時点であり、前記第１の時点は、前記第１のアクセスポイントが位相ジャンプ値を送信する時点から第１の時間間隔だけ離れた時点であり、前記位相ジャンプ値は、前記モノラル信号に含まれ、
前記第２のアクセスポイントが前記位相補償されたターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプ値は、前記位相ジャンプエッジに関連付けられている、
請求項６に記載の方法。
【請求項１０】
アクセスポイントであって、前記アクセスポイントは、第２のアクセスポイントであり、
第１のアクセスポイントによって送信されたモノラル信号を受信するように構成された受信ユニットと、
前記モノラル信号に基づいて、第１のキャリアと第２のキャリアとの間の周波数オフセットを決定するように構成された処理ユニットであって、前記第１のキャリアは、前記第１のアクセスポイントによって前記モノラル信号を送信するために利用され、前記第２のキャリアは、前記第２のアクセスポイントによって前記モノラル信号を受信するために利用され、前記処理ユニットは、前記第２のキャリアの位相と前記第１のキャリアの位相との間の差が第１の閾値以下になるように、前記周波数オフセットに基づいてターゲットデータフレーム上での位相補償を実行するようにさらに構成される、処理ユニットと、
前記第２のキャリアを利用することによって位相補償されたターゲットデータフレームを送信するように構成された送信ユニットと、
を含む、アクセスポイント。
【請求項１１】
前記受信ユニットは、前記第１のアクセスポイントによって送信された前記モノラル信号を受信する前に、前記第１のアクセスポイントによって送信された指示情報を受信するようにさらに構成され、前記指示情報は、前記モノラル信号の以下のパラメータ、即ち、前記モノラル信号の元の周波数、及び前記モノラル信号の時間的な位置、を示すために利用される、
請求項１０に記載のアクセスポイント。
【請求項１２】
単位時間における前記モノラル信号の位相差変化の大きさは、前記モノラル信号の期間内での複数のサンプリング時点における位相差によって決定される、
請求項１０又は１１に記載のアクセスポイント。
【請求項１３】
前記処理ユニットは、
前記ターゲットデータフレームの開始時点での前記周波数オフセットに基づいて、前記ターゲットデータフレーム上での位相補償を実行する、又は
前記ターゲットデータフレームの開始時点より前の前記周波数オフセットに基づいて、前記ターゲットデータフレーム上での位相補償を実行する、又は
前記ターゲットデータフレームの開始時点より後の前記周波数オフセットに基づいて、前記ターゲットデータフレーム上での位相補償を実行する
ように特に構成される、
請求項１０に記載のアクセスポイント。
【請求項１４】
前記送信ユニットが前記位相補償されたターゲットデータフレームを送信する時点は、前記第１のアクセスポイントが前記ターゲットデータフレームを送信する時点と同じであり、
前記第１のアクセスポイントが前記ターゲットデータフレームを送信する前記時点は、第１の時点であり、前記第１の時点は、前記第１のアクセスポイントが位相ジャンプ値を送信する時点から第１の時間間隔だけ離れた時点であり、前記位相ジャンプ値は、前記モノラル信号に含まれ、
前記送信ユニットが前記位相補償されたターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプエッジは、前記位相ジャンプ値に関連付けられている、
請求項１０に記載のアクセスポイント。
【請求項１５】
アクセスポイントであって、前記アクセスポイントは、第１のアクセスポイントであり、
モノラル信号を生成するように構成された処理ユニットであって、前記モノラル信号は、第１のキャリアと第２のキャリアとの間の周波数オフセットを決定するために利用され、前記第１のキャリアは、前記第１のアクセスポイントによって、前記モノラル信号を送信するために利用され、前記第２のキャリアは、第２のアクセスポイントによって、前記モノラル信号を受信するために利用される、処理ユニットと、
前記モノラル信号を前記第２のアクセスポイントに送信するように構成された送信ユニットと
を含む、アクセスポイント。
【請求項１６】
前記送信ユニットは、前記モノラル信号を前記第２のアクセスポイントに送信する前に、指示情報を前記第２のアクセスポイントに送信するようにさらに構成され、前記指示情報は、前記モノラル信号の以下のパラメータ、即ち、前記モノラル信号の元の周波数、及び前記モノラル信号の時間的な位置、を示すために利用される、
請求項１５に記載のアクセスポイント。
【請求項１７】
単位時間における前記モノラル信号の位相差変化の大きさは、前記モノラル信号の期間内での複数のサンプリング時点における位相差によって決定される、
請求項１５又は１６に記載のアクセスポイント。
【請求項１８】
前記第２のアクセスポイントが、位相補償されたターゲットデータフレームを送信する時点は、前記送信ユニットが前記ターゲットデータフレームを送信する時点と同じであり、
前記送信ユニットが前記ターゲットデータフレームを送信する前記時点は、第１の時点であり、前記第１の時点は、前記送信ユニットが位相ジャンプ値を送信する時点から第１の時間間隔だけ離れた時点であり、前記位相ジャンプ値は、前記モノラル信号に含まれ、
前記第２のアクセスポイントが前記ターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプ値は、前記位相ジャンプエッジに関連付けられている、
請求項１５に記載のアクセスポイント。
【発明の詳細な説明】
【技術分野】
【０００１】
この出願は、通信技術の分野に関し、特に、同期方法及びアクセスポイントに関する。
【背景技術】
【０００２】
分散ネットワークＭＩＭＯシナリオでは、送信端で、独立した水晶発振器ソースが各アクセスポイントに対して利用される。水晶発振器が同じであることを保証できないので、水晶発振器間に様々なレベルの小さい周波数オフセットがある。例えば、１０ＭＨｚの水晶発振器の場合、１ＰＰＭ（パーツパーミリオン）のオフセットがあり得る。無線周波数キャリア周波数（５Ｇ）が、無線周波数位相ロックループ（Ｒａｄｉｏ  Ｆｒｅｑｕｅｎｃｙ  Ｐｈａｓｅ  Ｌｏｃｋｅｄ  Ｌｏｏｐ、ＲＦ  ＰＬＬ）を利用することによって生成されるとき、アクセスポイント間に約５ｋＨｚの周波数オフセットがあり、アクセスポイント間に位相回転を生じる。位相回転により、複数のアクセスポイントによって協働して送信される信号中に累積位相誤差がある。チャネルの影響下では、受信端が受信信号を復号することができなくなるまで、受信端によって受信された信号の相対位相が連続的に回転され、ビット誤り率が増加する。上記の相対位相は時間とともに変化する。より大きいキャリア周波数オフセットは、より速い位相差変化とより高いビット誤り率とを意味する。比較的高いビット誤り率の理由は、以下の通りである。図１ａに示すように、送信端に複数のアクセスポイント間の周波数オフセットがある場合、受信端におけるコンスタレーションマップは所定のロケーションにマッピングできないことがある。さらに、マッピングロケーションは、時間とともに変化し続ける。従って、ビット誤り率がより高くなる。
【０００３】
送信端において、アクセスポイント間の周波数オフセットを低減するために、図１ｂに示すように、各アクセスポイントは、外部ＧＰＳクロックを受信するためにＧＰＳクロックモジュールを有し、従って、アクセスポイントは、同じ水晶発振器ソースを有し、従って、アクセスポイント間に周波数オフセットがない。屋内シナリオ（例えば、駅及び空港）では、ＧＰＳ信号が弱いか、又はＧＰＳ信号がないことがある。従って、この解決策は、屋外環境でのみ適用され得る。
【０００４】
さらに、送信端において、アクセスポイント間の周波数オフセットを低減するために、図１ｃに示すように、外部に構成されたクロックボードが利用され、クロックボードのクロック信号は、基準クロックとしてクロックラインを利用することによってアクセスポイントにもたらされる。従って、全てのアクセスポイントの基準クロックは、クロックボードによって出力された同じソースクロック信号である。このようにして、同じ水晶発振器ソースがアクセスポイントに対して達せられ、従って、アクセスポイント間に周波数オフセットがない。この解決策は、クロックボードの追加の構成とクロックラインの追加の展開とを必要とし、追加のコストと時間オーバーヘッドとを生じる。
【発明の概要】
【０００５】
この出願の実施形態は、システムビット誤り率を低減するための同期方法及びアクセスポイントを提供する。
【０００６】
第１の態様によれば、この出願の実施形態は、同期方法であって、第２のアクセスポイントによって、第１のアクセスポイントによって送信されたモノラル信号を受信することと、第２のアクセスポイントによって、モノラル信号に基づいて第１のキャリアと第２のキャリアとの間の周波数オフセットを決定することであって、第１のキャリアは、モノラル信号を送信するために第１のアクセスポイントによって利用され、第２のキャリアは、モノラル信号を受信するために第２のアクセスポイントによって利用される、ことと、第２のキャリアの位相と第１のキャリアの位相との間の差が第１の閾値以下になるように、第２のアクセスポイントによって、周波数オフセットに基づいてターゲットデータフレームに対して位相補償を実行することと、第２のアクセスポイントによって、第２のキャリアを利用することによって位相補償されたターゲットデータフレームを送信することとを含む同期方法を提供する。
【０００７】
第１の態様において提供される技術的解決策によれば、第２のアクセスポイントは、第２のキャリアの位相と第１のキャリアの位相との間の差が第１の閾値以下になるように、周波数オフセットを利用することによってターゲットデータフレームに対して位相補償を実行する。従って、システムビット誤り率が低減され得る。
【０００８】
第１の態様に関して、可能な実装では、周波数オフセットは、単位時間におけるモノラル信号の位相差変化の大きさからモノラル信号の元の周波数を減算したものに等しい。
【０００９】
第１の態様に関して、可能な実装では、モノラル信号は、第１のデータフレーム中に含まれ、第１のデータフレームは、ターゲットデータフレームをさらに含み、第１のデータフレーム中でのモノラル信号の時間的な位置は、第１のデータフレーム中でのターゲットデータフレームの時間的な位置よりも前にある。
【００１０】
第１の態様に関して、可能な実装では、第２のアクセスポイントによって、第１のアクセスポイントによって送信されたモノラル信号を受信する前に、方法は、第２のアクセスポイントによって、第１のアクセスポイントによって送信された指示情報を受信することであって、指示情報は、モノラル信号の以下のパラメータ、即ち、モノラル信号の元の周波数及びモノラル信号の時間的な位置、を示すために利用される、ことをさらに含む。
【００１１】
第１の態様に関して、可能な実装では、単位時間におけるモノラル信号の位相差変化の大きさは、モノラル信号の期間内の複数のサンプリング時点における位相差によって決定される。この実装では、単位時間におけるモノラル信号の位相差変化の大きさの測定エラーが低減され得る。
【００１２】
第１の態様に関して、可能な実装では、複数のサンプリング時点は、複数のモノラル信号の期間内のサンプリング時点を含む。この実装では、単位時間におけるモノラル信号の位相差変化の大きさの測定エラーが低減され得る。
【００１３】
第１の態様に関して、可能な実装では、周波数オフセットは、単位時間における複数のモノラル信号の位相差変化の大きさの平均値からモノラル信号の元の周波数を減算したものに等しい。この実装では、単位時間におけるモノラル信号の位相差変化の大きさの測定エラーがさらに低減され得る。
【００１４】
第１の態様に関して、可能な実装では、単位時間におけるモノラル信号の位相差変化の大きさは、第１の期間内のモノラル信号の位相差変化の大きさを第１の期間で除算したものに等しく、ここで、第１の期間は、２つのモノラル信号の期間にモノラル信号のうちの２つの期間の間の時間間隔を加算したものに等しい。この実装では、単位時間におけるモノラル信号の位相差変化の大きさの測定エラーがさらに低減され得る。
【００１５】
第１の態様に関して、可能な実装では、モノラル信号の期間内の複数のサンプリング時点は、少なくともモノラル信号の開始時点とモノラル信号の終了時点とを含む。この実装では、好適なサンプリング時点は、モノラル信号に対してサンプリングを実行するために提供される。
【００１６】
第１の態様に関して、可能な実装では、第２のアクセスポイントによって、周波数オフセットに基づいてターゲットデータフレームに対して位相補償を実行することは、具体的には、第２のアクセスポイントによって、ターゲットデータフレームの最初の時点に周波数オフセットに基づいてターゲットデータフレームに対して位相補償を実行すること、又は第２のアクセスポイントによって、ターゲットデータフレームの最初の時点の前に周波数オフセットに基づいてターゲットデータフレームに対して位相補償を実行すること、又は第２のアクセスポイントによって、ターゲットデータフレームの最初の時点の後に周波数オフセットに基づいてターゲットデータフレームに対して位相補償を実行することである。この実装では、３つの好適な位相補償時点が提供され、第２のアクセスポイントは、ターゲットデータフレームで変調された送信信号に対して位相補償を実行するために上記の好適な補償時点のうちの任意の１つを選択することができる。
【００１７】
第１の態様に関して、可能な実装では、第２のアクセスポイントは、以下の２つの方式でターゲットデータフレームに対して位相補償を実行することができる。第１の方式では、単位時間におけるモノラル信号の位相差変化の大きさが比較的小さい場合、ターゲットデータフレームの期間内で、第２のアクセスポイントは、ターゲットデータフレームに対して位相補償を実行するために同じ補償値を利用する。第２の方式では、単位時間におけるモノラル信号の位相差変化の大きさが比較的小さい場合、ターゲットデータフレームの期間内で、第２のアクセスポイントは、異なるサンプリング時点にターゲットデータフレームに対して位相補償を実行するために異なる補償値を利用する。この実装では、計算複雑性を低減し、位相補償精度を改善するために、異なるシナリオに異なる位相補償解決策が提供される。
【００１８】
第１の態様に関して、可能な実装では、第２のアクセスポイントが位相補償されたターゲットデータフレームを送信する時点は、第１のアクセスポイントがターゲットデータフレームを送信する時点と同じであり、第１のアクセスポイントがターゲットデータフレームを送信する時点は、第１の時点であり、第１の時点は、第１のアクセスポイントが位相ジャンプ値を送信する時点から離れた第１の時間間隔である時点であり、位相ジャンプ値は、モノラル信号中に含まれ、第２のアクセスポイントがターゲットデータフレームを送信する時点は、第２の時点であり、第２の時点は、第２のアクセスポイントが位相ジャンプエッジを検出する時点から離れた第１の時間間隔である時点であり、位相ジャンプ値は、位相ジャンプエッジに関連付けられる。
【００１９】
第２の態様によれば、この出願の実施形態は、同期方法であって、第１のアクセスポイントによって、モノラル信号を生成することであって、モノラル信号は、第１のキャリアと第２のキャリアとの間の周波数オフセットを決定するために利用され、第１のキャリアは、モノラル信号を送信するために第１のアクセスポイントによって利用され、第２のキャリアは、モノラル信号を受信するために第２のアクセスポイントによって利用される、ことと、第１のアクセスポイントによって、第２のアクセスポイントにモノラル信号を送信することとを含む同期方法を提供する。
【００２０】
第２の態様において提供される技術的解決策によれば、第１のアクセスポイントは、モノラル信号を生成することであって、モノラル信号は、第１のキャリアと第２のキャリアとの間の周波数オフセットを決定するために利用される、ことを行う。周波数オフセットは、第２のキャリアの位相と第１のキャリアの位相との間の差が第１の閾値以下になるように、ターゲットデータフレームに対して位相補償を実行するために第２のアクセスポイントによって利用される。従って、システムビット誤り率が低減され得る。
【００２１】
第２の態様に関して、可能な実装では、周波数オフセットは、単位時間におけるモノラル信号の位相差変化の大きさからモノラル信号の元の周波数を減算したものに等しい。
【００２２】
第２の態様に関して、可能な実装では、モノラル信号は、第１のデータフレーム中に含まれ、第１のデータフレームは、ターゲットデータフレームをさらに含み、第１のデータフレーム中でのモノラル信号の時間的な位置は、第１のデータフレーム中でのターゲットデータフレームの時間的な位置よりも前にある。
【００２３】
第２の態様に関して、可能な実装では、第１のアクセスポイントによって、第２のアクセスポイントにモノラル信号を送信する前に、方法は、第１のアクセスポイントによって、第２のアクセスポイントに指示情報を送信することであって、指示情報は、モノラル信号の以下のパラメータ、即ち、モノラル信号の元の周波数及びモノラル信号の時間的な位置、を示すために利用される、ことをさらに含む。
【００２４】
第２の態様に関して、可能な実装では、単位時間におけるモノラル信号の位相差変化の大きさは、モノラル信号の期間内の複数のサンプリング時点における位相差によって決定される。この実装では、単位時間におけるモノラル信号の位相差変化の大きさの測定エラーが低減され得る。
【００２５】
第２の態様に関して、可能な実装では、複数のサンプリング時点は、複数のモノラル信号の期間内のサンプリング時点を含む。この実装では、単位時間におけるモノラル信号の位相差変化の大きさの測定エラーが低減され得る。
【００２６】
第２の態様に関して、可能な実装では、周波数オフセットは、単位時間における複数のモノラル信号の位相差変化の大きさの平均値からモノラル信号の元の周波数を減算したものに等しい。この実装では、単位時間におけるモノラル信号の位相差変化の大きさの測定エラーがさらに低減され得る。
【００２７】
第２の態様に関して、可能な実装では、単位時間におけるモノラル信号の位相差変化の大きさは、第１の期間内のモノラル信号の位相差変化の大きさを第１の期間で除算したものに等しく、ここで、第１の期間は、２つのモノラル信号の期間にモノラル信号のうちの２つの期間の間の時間間隔を加算したものに等しい。この実装では、単位時間におけるモノラル信号の位相差変化の大きさの測定エラーがさらに低減され得る。
【００２８】
第２の態様に関して、可能な実装では、モノラル信号の期間内の複数のサンプリング時点は、少なくともモノラル信号の開始時点とモノラル信号の終了時点とを含む。この実装では、好適なサンプリング時点は、モノラル信号に対してサンプリングを実行するために提供される。
【００２９】
第２の態様に関して、可能な実装では、処理ユニットは、以下の２つの方式でターゲットデータフレームで変調された送信信号に対して位相補償を実行し得る。第１の方式では、単位時間におけるモノラル信号の位相差変化の大きさが比較的小さい場合、ターゲットデータフレームで変調された送信信号の期間内で、処理ユニットは、ターゲットデータフレームで変調された送信信号に対して位相補償を実行するために同じ補償値を利用する。第２の方式では、単位時間におけるモノラル信号の位相差変化の大きさが比較的小さい場合、ターゲットデータフレームで変調された送信信号の期間内で、処理ユニットは、異なるサンプリング時点にターゲットデータフレームで変調された送信信号に対して位相補償を実行するために異なる補償値を利用する。この実装では、計算複雑性を低減し、位相補償精度を改善するために、異なるシナリオに異なる位相補償解決策が提供される。
【００３０】
第２の態様に関して、可能な実装では、第２のアクセスポイントが位相補償されたターゲットデータフレームを送信する時点は、第１のアクセスポイントがターゲットデータフレームを送信する時点と同じであり、第１のアクセスポイントがターゲットデータフレームを送信する時点は、第１の時点であり、第１の時点は、第１のアクセスポイントが位相ジャンプ値を送信する時点から離れた第１の時間間隔である時点であり、位相ジャンプ値は、モノラル信号中に含まれ、第２のアクセスポイントが位相補償されたターゲットデータフレームを送信する時点は、第２の時点であり、第２の時点は、第２のアクセスポイントが位相ジャンプエッジを検出する時点から離れた第１の時間間隔である時点であり、位相ジャンプ値は、位相ジャンプエッジに関連付けられる。
【００３１】
第３の態様によれば、この出願の実施形態は、アクセスポイントであって、アクセスポイントは、第２のアクセスポイントであり、第１のアクセスポイントによって送信されたモノラル信号を受信するように構成された受信ユニットと、モノラル信号に基づいて、第１のキャリアと第２のキャリアとの間の周波数オフセットを決定するように構成された処理ユニットであって、第１のキャリアは、モノラル信号を送信するために第１のアクセスポイントによって利用され、第２のキャリアは、モノラル信号を受信するために第２のアクセスポイントによって利用され、処理ユニットは、第２のキャリアの位相と第１のキャリアの位相との間の差が第１の閾値以下になるように、周波数オフセットに基づいてターゲットデータフレームに対して位相補償を実行するようにさらに構成される、処理ユニットと、第２のキャリアを利用することによって位相補償されたターゲットデータフレームを送信するように構成された送信ユニットとを含む、アクセスポイントを提供する。
【００３２】
第３の態様において提供される技術的解決策によれば、処理ユニットは、第２のキャリアの位相と第１のキャリアの位相との間の差が第１の閾値以下になるように、周波数オフセットを利用することによってターゲットデータフレームに対して位相補償を実行する。従って、システムビット誤り率が低減され得る。
【００３３】
第３の態様に関して、可能な実装では、周波数オフセットは、単位時間におけるモノラル信号の位相差変化の大きさからモノラル信号の元の周波数を減算したものに等しい。
【００３４】
第３の態様に関して、可能な実装では、モノラル信号は、第１のデータフレーム中に含まれ、第１のデータフレームは、ターゲットデータフレームをさらに含み、第１のデータフレーム中でのモノラル信号の時間的な位置は、第１のデータフレーム中でのターゲットデータフレームの時間的な位置よりも前にある。
【００３５】
第３の態様に関して、可能な実装では、受信ユニットは、第１のアクセスポイントによって送信されたモノラル信号を受信する前に、第１のアクセスポイントによって送信された指示情報を受信することであって、指示情報は、モノラル信号の以下のパラメータ、即ち、モノラル信号の元の周波数及びモノラル信号の時間的な位置を示すために利用される、ことを行うようにさらに構成される。
【００３６】
第３の態様に関して、可能な実装では、単位時間におけるモノラル信号の位相差変化の大きさは、モノラル信号の期間内の複数のサンプリング時点における位相差によって決定される。この実装では、単位時間におけるモノラル信号の位相差変化の大きさの測定エラーが低減され得る。
【００３７】
第３の態様に関して、可能な実装では、複数のサンプリング時点は、複数のモノラル信号の期間内のサンプリング時点を含む。この実装では、単位時間におけるモノラル信号の位相差変化の大きさの測定エラーが低減され得る。
【００３８】
第３の態様に関して、可能な実装では、周波数オフセットは、単位時間における複数のモノラル信号の位相差変化の大きさの平均値からモノラル信号の元の周波数を減算したものに等しい。この実装では、単位時間におけるモノラル信号の位相差変化の大きさの測定エラーがさらに低減され得る。
【００３９】
第３の態様に関して、可能な実装では、単位時間におけるモノラル信号の位相差変化の大きさは、第１の期間内のモノラル信号の位相差変化の大きさを第１の期間で除算したものに等しく、ここで、第１の期間は、２つのモノラル信号の期間に２つのモノラル信号の期間の間の時間間隔を加算したものに等しい。この実装では、単位時間におけるモノラル信号の位相差変化の大きさの測定エラーがさらに低減され得る。
【００４０】
第３の態様に関して、可能な実装では、モノラル信号の期間内の複数のサンプリング時点は、少なくともモノラル信号の開始時点とモノラル信号の終了時点とを含む。この実装では、好適なサンプリング時点は、モノラル信号に対してサンプリングを実行するために提供される。
【００４１】
第３の態様に関して、可能な実装では、処理ユニットは、具体的には、ターゲットデータフレームの最初の時点に周波数オフセットに基づいてターゲットデータフレームに対して位相補償を実行すること、又はターゲットデータフレームの最初の時点の前に周波数オフセットに基づいてターゲットデータフレームに対して位相補償を実行すること、又はターゲットデータフレームの最初の時点の後に周波数オフセットに基づいてターゲットデータフレームに対して位相補償を実行することを行うように構成される。この実装では、３つの好適な位相補償時点が提供され、第２のアクセスポイントは、ターゲットデータフレームで変調された送信信号に対して位相補償を実行するために上記の好適な補償時点のうちの任意の１つを選択することができる。
【００４２】
第３の態様に関して、可能な実装では、送信ユニットが位相補償されたターゲットデータフレームを送信する時点は、第１のアクセスポイントがターゲットデータフレームを送信する時点と同じであり、第１のアクセスポイントがターゲットデータフレームを送信する時点は、第１の時点であり、第１の時点は、第１のアクセスポイントが位相ジャンプ値を送信する時点から離れた第１の時間間隔である時点であり、位相ジャンプ値は、モノラル信号中に含まれ、送信ユニットが位相補償されたターゲットデータフレームを送信する時点は、第２の時点であり、第２の時点は、第２のアクセスポイントが位相ジャンプエッジを検出する時点から離れた第１の時間間隔である時点であり、位相ジャンプ値は、位相ジャンプエッジに関連付けられる。
【００４３】
第４の態様によれば、この出願の実施形態は、アクセスポイントであって、アクセスポイントは、第１のアクセスポイントであり、モノラル信号を生成することであって、モノラル信号は、第１のキャリアと第２のキャリアとの間の周波数オフセットを決定するために利用され、第１のキャリアは、モノラル信号を送信するために第１のアクセスポイントによって利用され、第２のキャリアは、モノラル信号を受信するために第２のアクセスポイントによって利用される、ことを行うように構成された処理ユニットと、第２のアクセスポイントにモノラル信号を送信するように構成された送信ユニットとを含む、アクセスポイントを提供する。
【００４４】
第４の態様において提供される技術的解決策によれば、生成ユニットは、モノラル信号を生成することであって、モノラル信号は、第１のキャリアと第２のキャリアとの間の周波数オフセットを決定するために利用され、周波数オフセットは、第２のキャリアの位相と第１のキャリアの位相との間の差が第１の閾値以下になるように、ターゲットデータフレームに対して位相補償を実行するために第２のアクセスポイントによって利用される、ことを行うように構成される。従って、システムビット誤り率が低減され得る。
【００４５】
第４の態様に関して、可能な実装では、周波数オフセットは、単位時間におけるモノラル信号の位相差変化の大きさからモノラル信号の元の周波数を減算したものに等しい。
【００４６】
第４の態様に関して、可能な実装では、モノラル信号は、第１のデータフレーム中に含まれ、第１のデータフレームは、ターゲットデータフレームをさらに含み、第１のデータフレーム中でのモノラル信号の時間的な位置は、第１のデータフレーム中でのターゲットデータフレームの時間的な位置よりも前にある。
【００４７】
第４の態様に関して、可能な実装では、送信ユニットは、第２のアクセスポイントにモノラル信号を送信する前に、第２のアクセスポイントに指示情報を送信することであって、指示情報は、モノラル信号の以下のパラメータ、即ち、モノラル信号の元の周波数及びモノラル信号の時間的な位置を示すために利用される、ことを行うようにさらに構成される。
【００４８】
第４の態様に関して、可能な実装では、単位時間におけるモノラル信号の位相差変化の大きさは、モノラル信号の期間内の複数のサンプリング時点における位相差によって決定される。この実装では、単位時間におけるモノラル信号の位相差変化の大きさの測定エラーが低減され得る。
【００４９】
第４の態様に関して、可能な実装では、複数のサンプリング時点は、複数のモノラル信号の期間内のサンプリング時点を含む。この実装では、単位時間におけるモノラル信号の位相差変化の大きさの測定エラーが低減され得る。
【００５０】
第４の態様に関して、可能な実装では、周波数オフセットは、単位時間における複数のモノラル信号の位相差変化の大きさの平均値からモノラル信号の元の周波数を減算したものに等しい。この実装では、単位時間におけるモノラル信号の位相差変化の大きさの測定エラーがさらに低減され得る。
【００５１】
第４の態様に関して、可能な実装では、単位時間におけるモノラル信号の位相差変化の大きさは、第１の期間内のモノラル信号の位相差変化の大きさを第１の期間で除算したものに等しく、ここで、第１の期間は、２つのモノラル信号の期間にモノラル信号のうちの２つの期間の間の時間間隔を加算したものに等しい。この実装では、単位時間におけるモノラル信号の位相差変化の大きさの測定エラーがさらに低減され得る。
【００５２】
第４の態様に関して、可能な実装では、モノラル信号の期間内の複数のサンプリング時点は、少なくともモノラル信号の開始時点とモノラル信号の終了時点とを含む。この実装では、好適なサンプリング時点は、モノラル信号に対してサンプリングを実行するために提供される。
【００５３】
第４の態様に関して、可能な実装では、第２のアクセスポイントが位相補償されたターゲットデータフレームを送信する時点は、送信ユニットがターゲットデータフレームを送信する時点と同じであり、送信ユニットがターゲットデータフレームを送信する時点は、第１の時点であり、第１の時点は、送信ユニットが位相ジャンプ値を送信する時点から離れた第１の時間間隔である時点であり、位相ジャンプ値は、モノラル信号中に含まれ、第２のアクセスポイントがターゲットデータフレームを送信する時点は、第２の時点であり、第２の時点は、第２のアクセスポイントが位相ジャンプエッジを検出する時点から離れた第１の時間間隔である時点であり、位相ジャンプ値は、位相ジャンプエッジに関連付けられる。
【００５４】
第５の態様によれば、この出願の実施形態は、アクセスポイントであって、アクセスポイントは、第２のアクセスポイントであり、トランシーバと、メモリと、メモリに結合されたプロセッサとを含む、アクセスポイントを提供する。トランシーバと、メモリと、メモリに結合されたプロセッサとは、互いに接続される。トランシーバは、受信又は送信動作を実行するように構成される。メモリは、第１の態様に記載されている同期方法の実行コードを格納するように構成される。プロセッサは、メモリに格納された実行コードを呼び出すように、即ち、第１の態様又は第１の態様の可能な実装のうちの任意の１つにおいて提供される同期方法を実行するように構成される。
【００５５】
第６の態様によれば、この出願の実施形態は、アクセスポイントであって、アクセスポイントは、第１のアクセスポイントであり、トランシーバと、メモリと、メモリに結合されたプロセッサとを含む、アクセスポイントを提供する。トランシーバと、メモリと、メモリに結合されたプロセッサとは、互いに接続される。トランシーバは、受信又は送信動作を実行するように構成される。メモリは、第２の態様に記載されている同期方法の実行コードを格納するように構成される。プロセッサは、メモリに格納された実行コードを呼び出すように、即ち、第２の態様又は第２の態様の可能な実装のうちの任意の１つにおいて提供される同期方法を実行するように構成される。
【００５６】
第７の態様によれば、この出願の実施形態は、第１のアクセスポイントと第２のアクセスポイントとを含むシステムを提供し、第１のアクセスポイントは、第４の態様又は第４の態様の可能な実装のうちの任意の１つに記載されているアクセスポイントであるか、又は、第６の態様又は第６の態様の可能な実装のうちの任意の１つに記載されているアクセスポイントであり、第２のアクセスポイントは、第３の態様又は第３の態様の可能な実装のうちの任意の１つに記載されているアクセスポイントであるか、又は、第５の態様又は第５の態様の可能な実装のうちの任意の１つに記載されているアクセスポイントである。
【００５７】
第８の態様によれば、この出願の実施形態は、コンピュータ可読記憶媒体を提供し、コンピュータ可読記憶媒体は、命令を記憶し、命令がプロセッサによって実行されるとき、プロセッサは、第１の態様又は第１の態様の可能な実装のうちの任意の１つにおいて提供される同期方法を実行することが可能になる。
【００５８】
第９の態様によれば、この出願の実施形態は、コンピュータ可読記憶媒体を提供し、コンピュータ可読記憶媒体は、命令を記憶し、命令がプロセッサによって実行されるとき、プロセッサは、第２の態様又は第２の態様の可能な実装のうちの任意の１つにおいて提供される同期方法を実行することが可能になる。
【００５９】
第１０の態様によれば、この出願の実施形態は、コンピュータプログラム製品を提供し、プログラム製品がプロセッサによって実行されるとき、プロセッサは、第１の態様又は第１の態様の可能な実装のうちの任意の１つにおいて提供される同期方法を実行することが可能になる。
【００６０】
第１１の態様によれば、この出願の実施形態は、コンピュータプログラム製品を提供し、プログラム製品がプロセッサによって実行されるとき、プロセッサは、第２の態様又は第２の態様の可能な実装のうちの任意の１つにおいて提供される同期方法を実行することが可能になる。
【図面の簡単な説明】
【００６１】
【図１ａ】この出願の実施形態による、６４ＱＡＭコンスタレーションの概略図である。
【図１ｂ】この出願の実施形態による、ＧＰＳクロックを利用することによって各アクセスポイントのキャリア間の周波数オフセットを除去するための原理についての概略図である。
【図１ｃ】この出願の実施形態による、クロック分配ボードを利用することによって各アクセスポイントのキャリア間の周波数オフセットを除去するための原理についての概略図である。
【図２ａ】この出願の実施形態による、アクセスポイントが有線方式で接続されるシナリオの概略図である。
【図２ｂ】この出願の実施形態による、アクセスポイントが無線方式で接続される他のシナリオの概略図である。
【図３】この出願の実施形態による、同期方法の概略フローチャートである。
【図４ａ】この出願の実施形態による、第１のアクセスポイントと第２のアクセスポイントとの間のインタラクションの概略図である。
【図４ｂ】この出願の実施形態による、第１のアクセスポイントと第２のアクセスポイントとの間のインタラクションの他の概略図である。
【図４ｃ】この出願の実施形態による、サンプリング時点におけるモノラル信号の位相差の概略図である。
【図４ｄ】この出願の実施形態による、第１のアクセスポイントと第２のアクセスポイントとによってターゲットデータフレームを同期送信することについての概略図である。
【図４ｅ】この出願の実施形態による、アクセスポイントの送信遅延と受信遅延との和の概略図である。
【図４ｆ】この出願の実施形態による、ある状況において第２のアクセスポイントによってターゲットデータフレームに対して位相補償を実行することについての概略図である。
【図４ｇ】この出願の実施形態による、他の状況において第２のアクセスポイントによってターゲットデータフレームに対して位相補償を実行することについての概略図である。
【図５】この出願の実施形態による、アクセスポイントの概略構造図である。
【図６】この出願の実施形態による、他のアクセスポイントの概略構造図である。
【図７】この出願の実施形態による、さらに他のアクセスポイントの概略構造図である。
【図８】この出願の実施形態による、さらに他のアクセスポイントの概略構造図である。
【発明を実施するための形態】
【００６２】
図２ａは、この出願の実施形態による、ネットワークＭＩＭＯ技術を利用することによって同期を実行することについての適用シナリオの概略図である。
【００６３】
図２ａに示すように、このシナリオは、ｎ個のアクセスポイント（ＡＰ）とｍ個の移動局とを含み得る。アクセスポイントは、有線方式で（例えば、イーサネット又は光ファイバを利用することによって）接続され得る。例えば、アクセスポイント１は、プライマリＡＰであり、アクセスポイント２は、待機ＡＰであり、他の（ｎ−２）アクセスポイントは、セカンダリＡＰである。アクセスポイントの各々は少なくとも１つのアンテナを有し、移動局の各々は少なくとも１つのアンテナを有する。アクセスポイントのあらゆる２つは、ここでは限定しないが、各々から１メートル、１０メートル、数百メートル、又は数キロメートル離れていることがある。
【００６４】
アクセスポイントが、代替として、無線方式で接続され得ることに留意されたい。図２ｂに示すように、このシナリオはまた、ｎ個のアクセスポイント（ＡＰ）とｍ個の移動局とを含み、アクセスポイントは無線方式で接続される。例えば、アクセスポイント１は、プライマリＡＰであり、アクセスポイント２は、待機ＡＰであり、他の（ｎ−２）アクセスポイントは、セカンダリＡＰである。アクセスポイントの各々は少なくとも１つのアンテナを有し、移動局の各々は少なくとも１つのアンテナを有する。アクセスポイントのあらゆる２つは、ここでは限定しないが、各々から１メートル、１０メートル、数百メートル、又は数キロメートル離れていることがある。
【００６５】
図２ａ又は図２ｂに記載されているシナリオからわかるように、独立した水晶発振器ソースが各アクセスポイントについて利用される。水晶発振器が同じであることを保証できないので、水晶発振器間に様々なレベルの小さい周波数オフセットがある。さらには、小さい周波数オフセットは、アクセスポイント間の位相回転を生じ得る。位相回転により、ｎ個のアクセスポイントによって協働して送信される信号中に累積位相誤差がある。チャネルの影響下では、移動局が受信信号を復号することができなくなるまで、協働してアクセスポイントによって送信され、移動局によって受信される信号の相対位相が連続的に回転され、ビット誤り率が増加する。上記の相対位相は時間とともに変化する。より大きい周波数オフセットは、より速い位相差変化とより高いビット誤り率とを意味する。
【００６６】
上記のシナリオのうちの任意の１つにおけるアクセスポイント間の周波数オフセットの問題について、この出願の実施形態では、この出願の実施形態において提供される同期方法について、図３を参照しながら詳細に説明する。図３は、同期方法の例示的な概略フローチャートである。図３に示すように、方法は、少なくとも以下のステップを含み得る。
【００６７】
Ｓ１０１．第１のアクセスポイントがモノラル信号を生成する。
【００６８】
この出願のこの実施形態では、第１のアクセスポイントがプライマリＡＰであり、第２のアクセスポイントがセカンダリＡＰである例が利用される。
【００６９】
モノラル信号は、単一の周波数をもつ信号であり、例えば、モノラル信号は、単一周波数正弦波信号であり得る。
【００７０】
モノラル信号は、第１のデータフレーム中に含まれ得るし、第１のデータフレームは、ターゲットデータフレームをさらに含み得る。第１のデータフレーム中のモノラル信号の時間的な位置は、第１のデータフレーム中のターゲットデータフレームの時間的な位置よりも前にあり得る。ターゲットデータフレームは、移動局がアクセスポイントから受信することを予期するデータである。第１のデータフレームは、（Ｌ−ＳＴＦ、Ｌ−ＬＴＦ、Ｌ−ＳＩＧ、ＲＬ−ＳＩＧ、ＨＥ−ＳＩＧ−Ａ、及びＨＥ−ＳＴＦなどの）いくつかのフィールドをさらに含み得る。移動局は、フィールドに基づく構文解析を通してターゲットデータフレームを取得することができる。例えば、第１のデータフレームは、８０２．１１フレームであり得る。
【００７１】
Ｓ１０２．第１のアクセスポイントがモノラル信号を送信する。相応して、第２のアクセスポイントは、第１のアクセスポイントによって送信されたモノラル信号を受信する。
【００７２】
この出願のこの実施形態では、第２のアクセスポイントが第１のアクセスポイントによって送信されたモノラル信号を受信する前に、第２のアクセスポイントは、第１のアクセスポイントによって送信された指示情報を受信し得る、ここで、指示情報は、モノラル信号を示すための以下のパラメータ、即ち、モノラル信号の元の周波数及びモノラル信号の時間的な位置を含み得る。モノラル信号は、第１のデータフレーム中に含まれ得るし、第１のデータフレーム中でのモノラル信号の位置は、番号又は文字によって示され得る。指示情報は、モノラル信号中の位相ジャンプ値の量、モノラル信号の期間、モノラル信号とターゲットデータフレームとの間の時間間隔などのパラメータをさらに含み得ることに留意されたい。
【００７３】
第２のアクセスポイントが第１のアクセスポイントによって送信される指示情報を受信することは、以下の２つの実装を含み得る。
【００７４】
第１の実装では、第２のアクセスポイントは、アプリケーション層インタラクションを通して第１のアクセスポイントによって送信された指示情報を受信する。
【００７５】
特定の実装を図４ａに示す。第１のアクセスポイントは、第２のアクセスポイントにＴＣＰ／ＵＤＰメッセージ中にカプセル化された指示情報を送信する。指示情報を受信した後に、第２のアクセスポイントは、指示情報が第１のアクセスポイントに受信されていることを示す肯定応答情報を送信する。
【００７６】
第２の実装では、第２のアクセスポイントは、ＭＡＣ層インタラクションを通して第１のアクセスポイントによって送信された指示情報を受信する。
【００７７】
特定の実装を図４ｂに示す。第１のアクセスポイントは、第２のアクセスポイントに８０２．１１アクションフレーム中にカプセル化された指示情報を送信する。第２のアクセスポイントが指示情報を受信した後、第２のアクセスポイントは、受信された指示情報に応答することも応答しないこともある。受信された指示情報に応答して、第２のアクセスポイントは、第１のアクセスポイントにＡＣＫフレームを送信し得るか、又は第２のアクセスポイントは、８０２．１１アクションフレーム中に、指示情報が受信されたことを示す肯定応答情報をカプセル化し得るし、次いで、第２のアクセスポイントは、第１のアクセスポイントに肯定応答情報とともにカプセル化された８０２．１１アクションフレームを送信する。
【００７８】
第１のアクセスポイントが、第２のアクセスポイントに、モノラル信号とモノラル信号を示すための指示情報とを送信し得るように、指示情報は、代替として、モノラル信号を含む第１のデータフレーム中にカプセル化され得ることに留意されたい。
【００７９】
Ｓ１０３．第２のアクセスポイントは、モノラル信号に基づいて第１のキャリアと第２のキャリアとの間の周波数オフセットを決定し得る、ここで、第１のキャリアは、モノラル信号を送信するために第１のアクセスポイントによって利用され、第２のキャリアは、モノラル信号を受信するために第２のアクセスポイントによって利用される。
【００８０】
この出願のこの実施形態では、周波数オフセットは、単位時間におけるモノラル信号の位相差変化の大きさからモノラル信号の元の周波数を減算したものに等しくなり得る。特定の導出処理は、以下の通りである。
【００８１】
以下の式は、例えば、それぞれ、第１のキャリア、第２のキャリア、及びモノラル信号を表す。
【００８２】
第１のキャリアは、次のように表され得る。
Ｃm＝Ａm＊（Ｗm＊ｔ＋Ｑm）  （１）
【００８３】
第２のキャリアは、次のように表され得る。
Ｃs＝Ａs＊（Ｗs＊ｔ＋Ｑs）  （２）
【００８４】
モノラル信号は、次のように表され得る。
Ｓa＝Ａa＊（Ｗa＊ｔ＋Ｑa）  （３）
【００８５】
第１のアクセスポイントは、第２のアクセスポイントにモノラル信号で変調された送信信号Ｓa1を送信し、ここで、Ｓa1は、次のように表され得る。
Ｓa1
＝Ｓa＊Ｃm
＝Ａa＊ｃｏｓ（Ｗa＊ｔ＋Ｑa）＊Ａm＊ｃｏｓ（Ｗm＊ｔ＋Ｑm）
＝Ａa＊Ａm＊ｃｏｓ（Ｗm＊ｔ＋Ｑm）＊ｃｏｓ（Ｗa＊ｔ＋Ｑa）
＝（１／２）＊Ａm＊Ａa＊［ｃｏｓ（Ｗm＊ｔ＋Ｑm＋Ｗa＊ｔ＋Ｑa）＋ｃｏｓ（Ｗm＊ｔ＋Ｑm＋Ｗa＊ｔ−Ｑa）］  （４）
＝Ａa1＊［ｃｏｓ［（Ｗm＋Ｗa）＊ｔ＋Ｑa1］＋ｃｏｓ［（Ｗm−Ｗa）＊ｔ＋Ｑa2］］
ここで、Ａa1＝（１／２）＊Ａm＊Ａaであり、Ｑa1＝Ｑm＋Ｑaであり、Ｑa2＝Ｑm−Ｑaである。
【００８６】
式（４）に示すように、送信信号Ｓa1は、（Ｗm＋Ｗa）と（Ｗm−Ｗa）との周波数成分を含み得る。
【００８７】
さらに、第２のアクセスポイントは、第２のキャリアを利用することによって受信された送信信号Ｓa1を復調し得るし、復調された信号は、（Ｗm＋Ｗa＋Ｗs）、（Ｗm−Ｗa＋Ｗs）、（Ｗm＋Ｗa−Ｗs）及び（Ｗm−Ｗa−Ｗs）の周波数成分を含み得る。
【００８８】
第２のアクセスポイントは、バンドパスフィルタを利用することによって周波数成分（Ｗm＋Ｗs）をフィルタ処理して除去し得る。従って、復調された信号は、２つの周波数成分（Ｗm＋Ｗa−Ｗs）及び（Ｗm−Ｗa−Ｗs）のみを含む。
【００８９】
さらに、第２のアクセスポイントが、Ｗaの中心周波数をもつローバンドパスフィルタを利用することによって、（Ｗm＋Ｗa−Ｗs）及び（Ｗm−Ｗa−Ｗs）のみを含む復調された信号をフィルタ処理した後、信号中に周波数成分（Ｗm＋Ｗa−Ｗs）しかない。
【００９０】
次いで、対応する時間変化（単位時間におけるモノラル信号の位相差変化の大きさ）によってローバンドパスフィルタの出力信号の測定された位相変化を除算することによって、周波数成分（Ｗm＋Ｗa−Ｗs）の値が取得され得る。
【００９１】
最後に、（Ｗm＋Ｗa−Ｗs）からＷaを減算することによって、（Ｗm−Ｗs）、即ち、第１のキャリアと第２のキャリアとの間の周波数オフセットが取得され得る。
【００９２】
要約すれば、周波数オフセットは、単位時間におけるモノラル信号の位相差変化の大きさからモノラル信号の元の周波数を減算したものに等しい。
【００９３】
以下に、サンプリング時点におけるモノラル信号の位相差をどのように決定するのかについて詳細に説明する。
【００９４】
図４ｃに示すように、第２のアクセスポイントは、モノラル信号の虚部と実部とに対して別々にサンプリングを実行し得る。第２のアクセスポイントは、サンプリング時点におけるモノラル信号の実部と虚部とに基づいて、逆正接関数を利用することによってサンプリング時点における逆正接結果を取得し得る。逆正接結果は、サンプリング時点におけるモノラル信号の位相差である。
【００９５】
サンプリング時点における逆正接結果が９０度よりも小さく、−９０度よりも大きい場合、サンプリング時点におけるモノラル信号の位相差は以下のルールに準拠することに留意されたい。
【００９６】
サンプリング時点におけるモノラル信号の実部が０よりも小さい場合、逆正接結果は、１８０度だけ増加する。
【００９７】
逆正接結果が０よりも小さい場合、逆正接結果は、３６０度だけ増加する。
【００９８】
例えば、サンプリング時点５６７１において、第２のアクセスポイントは、サンプリング時点におけるモノラル信号の実部と虚部とに基づいて、逆正接関数を利用することによって、時点におけるモノラル信号の位相差が２９６．４度であると決定し得る。
【００９９】
単位時間におけるモノラル信号の位相差変化の大きさは、モノラル信号の期間内の複数のサンプリング時点における位相差によって決定される。具体的には、以下の３つの状況における単位時間におけるモノラル信号の位相差変化の大きさの決定が含まれ得る。
【０１００】
第１の状況では、モノラル信号の期間内の複数のサンプリング時点が２つのサンプリング時点である場合、単位時間におけるモノラル信号の位相差変化の大きさは、２つのサンプリング時点の間の時間間隔によって第１のサンプリング時点におけるモノラル信号の位相差と第２のサンプリング時点におけるモノラル信号の位相差との間の差を除算することによって取得された値である。
【０１０１】
第２の状況では、モノラル信号の期間内の複数のサンプリング時点が少なくとも３つのサンプリング時点である場合、単位時間におけるモノラル信号の位相差変化の大きさは、２つのサンプリング時点の間の時間間隔によって任意の２つのサンプリング時点におけるモノラル信号の位相差間の差を除算することによって取得された値である。
【０１０２】
第３の状況では、モノラル信号の期間内の複数のサンプリング時点が少なくとも３つのサンプリング時点である場合、単位時間におけるモノラル信号の位相差変化の大きさは、単位時間における位相差変化のものであり、任意の２つの時点におけるモノラル信号のために決定された大きさの平均値である。
【０１０３】
複数のサンプリング時点が複数のモノラル信号の期間内にサンプリング時点を含む場合、周波数オフセットは、以下の２つの方式で決定され得るし、ここで、複数のモノラル信号は、同じ第１のデータフレーム中に位置し得るか、又は異なる第１のデータフレーム中に位置し得る。
【０１０４】
第１の方式では、周波数オフセットは、単位時間における複数のモノラル信号の位相差変化の大きさからモノラル信号の元の周波数を減算したものの平均値に等しい。
【０１０５】
例えば、複数のモノラル信号は、２つのモノラル信号であり、ここで、１つのモノラル信号は、モノラル信号１であり、他のモノラル信号は、モノラル信号２である。
【０１０６】
最初に、単位時間におけるモノラル信号１の位相差変化の大きさ１と、単位時間におけるモノラル信号２の位相差変化の大きさ２とが決定され得るし、次いで、位相差変化の大きさ１と位相差変化の大きさ２とを平均化することによって、位相差変化の大きさ３が取得され得る。最後に、周波数オフセットは、位相差変化の大きさ３からモノラル信号の元の周波数を減算したものに等しい。
【０１０７】
この実装では、単位時間におけるモノラル信号の位相差変化の大きさの測定エラーが低減され得る。
【０１０８】
第２の方式では、単位時間におけるモノラル信号の位相差変化の大きさは、第１の期間内のモノラル信号の位相差変化の大きさを第１の期間で除算したものに等しく、ここで、第１の期間は、２つのモノラル信号の期間に２つのモノラル信号の期間の間の時間間隔を加算したものに等しい。
【０１０９】
例えば、複数のモノラル信号は、２つのモノラル信号であり、ここで、１つのモノラル信号は、モノラル信号３であり、他のモノラル信号は、モノラル信号４である。
【０１１０】
モノラル信号３とモノラル信号４との両方が４μｓの期間と２５０ｋＨｚの周波数とを有し、モノラル信号３とモノラル信号４との間の時間間隔が４８０μｓであると仮定する。
【０１１１】
最初の時点におけるモノラル信号３の位相差が１７度であり、終了時点におけるモノラル信号３の位相差が３７度であり、モノラル信号３の期間内に３６０度の位相変化があると仮定し、最初の時点におけるモノラル信号４の位相差が２７７度であり、終了時点におけるモノラル信号４の位相差が２９６度であり、モノラル信号４の期間内に３６０度の位相変化があると仮定する。
【０１１２】
最初に、第２のアクセスポイントは、モノラル信号の２つの終了時の位相の差変化の大きさに基づいて、時間間隔４８０μｓ内での３６０度の位相差回転の量が約１２６．６６（即ち、１２０＋（３７−１７）＊（４８０／４）／３６０＝１２６．６６）であり、丸めた後に１２６になると決定することができる。従って、第２のアクセスポイントは、時間間隔４８０μｓ内での３６０度の位相差回転の量が１２６であると決定することができる。
【０１１３】
さらに、モノラル信号３の期間内での３６０度の位相差回転の量と、モノラル信号４の期間内での３６０度の位相差回転の量と、時間間隔４８０μｓ内での３６０度の位相差回転の量と、モノラル信号３の最初の位相差とモノラル信号４の終了位相差との間の差とに関して、４８８μｓ（即ち、４μｓ＋４μｓ＋４８０μｓ＝４８８μｓ）の総遅延中でのモノラル信号の位相変化Ｓが決定され得る。
Ｓ＝３６０＋１２６＊３６０＋３６０＋２９６−１７＝４６５５７（度）
【０１１４】
次いで、第２のアクセスポイントは、単位時間におけるモノラル信号の位相差変化の大きさが９４．９９４（度／μｓ）（即ち、４６３５７度／４８８μｓ）であると決定することができる。
【０１１５】
最後に、周波数オフセットＳ１は、単位時間におけるモノラル信号の位相差変化の大きさからモノラル信号の元の周波数を減算したものに等しい。
Ｓ１＝９４．９９４度／μｓ−１μｓ＊２５０ｋＨｚ＊３６０度＝４．９９４度／μｓ
【０１１６】
従って、単位時間におけるモノラル信号の位相差変化の大きさは、４．９９４度／μｓである。
【０１１７】
この実装では、単位時間におけるモノラル信号の位相差変化の大きさの測定エラーが低減され得る。
【０１１８】
モノラル信号の期間内の複数のサンプリング時点が少なくともモノラル信号の開始時点とモノラル信号の終了時点とを含むことに留意されたい。この実装では、サンプリング時点は、好適なサンプリング時点であり、単位時間におけるモノラル信号の位相差変化の大きさの測定エラーは比較的小さい。
【０１１９】
第１のデータフレーム中でのモノラル信号の時間的な位置が第１のデータフレーム中でのターゲットデータフレームの時間的な位置よりも後にある場合、第２のアクセスポイントは、第１のデータフレームが受信される前に受信した第２のデータフレーム中のモノラル信号に基づいて第１のキャリアと第２のキャリアとの間の周波数オフセットを決定し得ることに留意されたい。
【０１２０】
Ｓ１０４．第２のアクセスポイントは、第２のキャリアの位相と第１のキャリアの位相との間の差が第１の閾値以下になるように、周波数オフセットに基づいてターゲットデータフレームに対して位相補償を実行する。
【０１２１】
この出願のこの実施形態では、ターゲットデータフレームは、符号化されたターゲットデータフレームである。第１のキャリアの位相は、第１の送信信号の位相であり、第２のキャリアの位相は、第２の送信信号の位相であり、ここで、第１の送信信号は、第１のキャリア上にターゲットデータフレームを変調することによって生成された信号であり、第２の送信信号は、第２のキャリア上に位相補償されたターゲットデータフレームを変調することによって生成された信号である。差は、時間とともに変化する可変値である。
【０１２２】
即ち、第２のキャリアの位相と第１のキャリアの位相との間の差が第１の閾値以下であることは、第１の送信信号の位相と第２の送信信号の位相との間の差が第１の閾値以下であることを意味する。
【０１２３】
第２のアクセスポイントは、以下の３つの時点における周波数オフセットに基づいてターゲットデータフレームに対して位相補償を実行し得る。
【０１２４】
第２のアクセスポイントは、ターゲットデータフレームの最初の時点に周波数オフセットに基づいてターゲットデータフレームに対して位相補償を実行するか、又は
第２のアクセスポイントは、ターゲットデータフレームの最初の時点の前に周波数オフセットに基づいてターゲットデータフレームに対して位相補償を実行するか、又は
第２のアクセスポイントは、ターゲットデータフレームの最初の時点の後に周波数オフセットに基づいてターゲットデータフレームに対して位相補償を実行する。
【０１２５】
以下は、第２のアクセスポイントが、ターゲットデータフレームの最初の時点に周波数オフセットに基づいてターゲットデータフレームに対して位相補償を実行する例である。
【０１２６】
第２のアクセスポイントは、以下の２つの方式でターゲットデータフレームに対して位相補償を実行し得る。
【０１２７】
第１の方式では、単位時間におけるモノラル信号の位相差変化の大きさが比較的小さい場合、ターゲットデータフレームの期間内で、第２のアクセスポイントは、ターゲットデータフレームの単一のシンボル中のサンプリングポイントに対して位相補償を実行するために同じ補償値を利用する。
【０１２８】
例えば、図４ｆに示すように、セカンダリＡＰ１は、１．０５μｓにおけるモノラル信号の位相差が−３０度である（即ち、第２のキャリアの位相が第１のキャリアの位相の３０度前にある）と決定する。単位時間におけるモノラル信号の位相差変化の大きさが０．０１２５度／μｓである（プライマリＡＰが、１μｓ毎に０．０１２５度だけセカンダリＡＰ１を上回る）場合、ターゲットデータフレームで変調された送信信号の期間内で、第２のアクセスポイントは、ターゲットデータフレームの単一のシンボル中のサンプリングポイントに対して位相補償を実行するために同じ補償値を利用する。
【０１２９】
第２の方式では、単位時間におけるモノラル信号の位相差変化の大きさが比較的小さい場合、ターゲットデータフレームの期間内で、第２のアクセスポイントは、ターゲットデータフレームの単一のシンボル中のサンプリングポイントに対して位相補償を実行するために異なる補償値を利用する。
【０１３０】
例えば、図４ｇに示すように、セカンダリＡＰ２は、１．１０μｓにおけるモノラル信号の位相差が８５度である（即ち、第２のキャリアの位相が、８５度だけ第１のキャリアの位相より遅れる）と決定する。単位時間におけるモノラル信号の位相差変化の大きさが０．５５１度／μｓである（プライマリＡＰが、１μｓ毎に０．５５１度だけセカンダリＡＰ１を上回る）場合、第２のアクセスポイントは、ターゲットデータフレームで変調された単一のシンボル中のサンプリングポイントに対して位相補償を実行するために異なる補償値を利用する。
【０１３１】
上記の位相補償実装では、計算複雑性を低減し、位相補償精度を改善するために、異なるシナリオに異なる位相補償解決策が提供される。
【０１３２】
実際の適用例シナリオでは、第１の閾値の値は、アクセスポイントによって構成されるシステムの信号対雑音比（Ｓｉｇｎａｌ−Ｎｏｉｓｅ  Ｒａｔｉｏ、ＳＮＲ）に関係づけられることに留意されたい。例えば、ＳＮＲ≧３０ｄＢであるとき、第１の閾値は１．４４度であるか、又はＳＮＲ＝１０ｄＢであるとき、第１の閾値は３．８０度である。
【０１３３】
Ｓ１０５．第１のアクセスポイントは、端末にターゲットデータフレームを送信する。
【０１３４】
具体的には、ステップ１０４で説明したように、ターゲットデータフレームは、第１の送信信号を生成するために第１のキャリア上で変調される。次いで、第１のアクセスポイントは、第１の送信信号を送信することによってターゲットデータフレームを送信する。
【０１３５】
Ｓ１０６．第２のアクセスポイントは、第２のキャリアを利用することによって端末に位相補償されたターゲットデータフレームを送信する。
【０１３６】
この出願のこの実施形態では、ステップ１０４で説明したように、位相補償されたターゲットデータフレームは、第２の送信信号を生成するために第２のキャリア上で変調される。次いで、第２のアクセスポイントは、第２の送信信号を送信することによって位相補償されたターゲットデータフレームを送信する。
【０１３７】
第２のアクセスポイントが位相補償されたターゲットデータフレームを送信する時点が、第１のアクセスポイントがターゲットデータフレームを送信する時点と同じであることに留意されたい。
【０１３８】
以下は、それぞれ、第１のアクセスポイントがターゲットデータフレームを送信する時間的な位置と、第２のアクセスポイントが位相補償されたターゲットデータフレームを送信する時間的な位置とをどのように決定するのかについて詳細に説明する。具体的には、以下の通りである。
【０１３９】
第１のアクセスポイントがターゲットデータフレームを送信する時点が第１の時点であり、ここで、第１の時点は、第１のアクセスポイントが位相ジャンプ値を送信する時点から離れた第１の時間間隔である時点であり、位相ジャンプ値は、モノラル信号中に含まれる。
【０１４０】
第２のアクセスポイントが位相補償されたターゲットデータフレームを送信する時点が第２の時点であり、ここで、第２の時点は、第２のアクセスポイントが位相ジャンプエッジを検出する時点から第１の時間間隔離れた時点であり、位相ジャンプエッジは、位相ジャンプ値に関連付けられる。
【０１４１】
モノラル信号中に１つ又は複数の位相ジャンプ値があり得る。
【０１４２】
ターゲットデータフレームの時点は、ターゲットデータフレームの最初の時点であるか、又はターゲットデータフレームの端末の時点であり得るし、位相変調されたターゲットデータフレームの時点は、位相変調されたターゲットデータフレームの最初の時点であるか、又は位相変調されたターゲットデータフレームの終了時点であり得る。
【０１４３】
例えば、第１の時点は、ターゲットデータフレームの最初の時点であり、第２の時点は、位相補償されたターゲットデータフレームの最初の時点であり、第１のアクセスポイントは、プライマリＡＰであり、第２のアクセスポイントは、セカンダリＡＰ１又はセカンダリＡＰ２である。図４ｄに示すように、プライマリＡＰが位相ジャンプ値を送信する時点は、プライマリＡＰがターゲットデータフレームを送信する時点から３８μｓ離れている。セカンダリＡＰ１は、１．０５μｓにおいて位相ジャンプエッジを検出し、セカンダリＡＰ１は、位相ジャンプエッジが、位相補償されるべきターゲットデータフレームの最初の時点から３８μｓ離れていると考える。従って、セカンダリＡＰ１は、３９．０５μｓにおいて位相補償されたターゲットデータフレームを送信する。セカンダリＡＰ２は、１．１０μｓにおいて位相ジャンプエッジを検出し、セカンダリＡＰ２は、位相ジャンプエッジが、位相補償されるべきターゲットデータフレームの最初の時点から３８μｓ離れていると考える。従って、セカンダリＡＰ２は、３９．１０μｓにおいて位相補償されたターゲットデータフレームを送信する。セカンダリＡＰ１の送信遅延と受信遅延との和が１．３５μｓであり、セカンダリＡＰ２の送信遅延と受信遅延との和が１．２０μｓであると仮定する。セカンダリＡＰ１が、送信遅延と受信遅延との和について考える場合、ＡＰ１は、３７．７０μｓにおいて位相補償されたターゲットデータフレームを送信する必要があり、セカンダリＡＰ２が、送信遅延と受信遅延との和について考える場合、セカンダリＡＰ２が、３７．９０μｓにおいて位相補償されたターゲットデータフレームを送信する必要がある。
【０１４４】
図４ｅに示すように、セカンダリＡＰは、自己送信及び自己受信方式で送信遅延と受信遅延との和を決定することができる。
【０１４５】
例えば、セカンダリＡＰが、時点Ｓ１においてシンボルを送信し、時点Ｒ１においてシンボルを受信するとき、セカンダリＡＰの送信遅延と受信遅延との和は（Ｓ１−Ｒ１）である。
【０１４６】
図４ａから図４ｇは、この出願の実施形態について説明するためにのみ利用され、この出願にいかなる限定も課してはならない。
【０１４７】
この出願の実施形態は、アクセスポイントを提供する。図５に、アクセスポイントの例を示し、アクセスポイント５０は、図３の方法実施形態における第２のアクセスポイントである。
【０１４８】
図５に示すように、アクセスポイント５０は、受信ユニット５０１と、処理ユニット５０２と、送信ユニット５０３とを含み得る。
【０１４９】
受信ユニット５０１は、第１のアクセスポイントによって送信されたモノラル信号を受信するように構成される。
【０１５０】
処理ユニット５０２は、モノラル信号に基づいて、第１のキャリアと第２のキャリアとの間の周波数オフセットを決定するように構成される、ここで、第１のキャリアが、第１のデータフレームを送信するために第１のアクセスポイントによって利用され、第２のキャリアが、第１のデータフレームを受信するために第２のアクセスポイントによって利用される。
【０１５１】
処理ユニット５０２は、第２のキャリアの位相と第１のキャリアの位相との間の差が第１の閾値以下になるように、周波数オフセットに基づいてターゲットデータフレームに対して位相補償を実行するようにさらに構成される。
【０１５２】
送信ユニット５０３は、第２のキャリアを利用することによって位相補償されたターゲットデータフレームを送信するように構成される。
【０１５３】
受信ユニット５０１は、第１のアクセスポイントによって送信されたモノラル信号を受信する前に、第１のアクセスポイントによって送信された指示情報を受信するようにさらに構成される、ここで、指示情報は、モノラル信号を示すための以下のパラメータ、即ち、モノラル信号の元の周波数及びモノラル信号の時間的な位置を含み得る。
【０１５４】
具体的には、モノラル信号は、第１のデータフレーム中に含まれる。第１のデータフレームは、ターゲットデータフレームをさらに含み得る。第１のデータフレーム中のモノラル信号の時間的な位置は、第１のデータフレーム中のターゲットデータフレームの時間的な位置よりも前にあり得る。
【０１５５】
単位時間におけるモノラル信号の位相差変化の大きさは、モノラル信号の期間内の複数のサンプリング時点における位相差によって決定される。
【０１５６】
複数のサンプリング時点は、複数のモノラル信号の期間内のサンプリング時点を含む。
【０１５７】
周波数オフセットは、単位時間における複数のモノラル信号の位相差変化の大きさからモノラル信号の元の周波数を減算したものの平均値に等しい。
【０１５８】
単位時間におけるモノラル信号の位相差変化の大きさは、第１の期間内のモノラル信号の位相差変化の大きさを第１の期間で除算したものに等しく、ここで、第１の期間は、２つのモノラル信号の期間に２つのモノラル信号の期間の間の時間間隔を加算したものに等しい。
【０１５９】
モノラル信号の期間内の複数のサンプリング時点が少なくともモノラル信号の開始時点とモノラル信号の終了時点とを含む。
【０１６０】
処理ユニット５０２は、特に、
ターゲットデータフレームの最初の時点に周波数オフセットに基づいてターゲットデータフレームに対して位相補償を実行するか、又は
ターゲットデータフレームの最初の時点の前に周波数オフセットに基づいてターゲットデータフレームに対して位相補償を実行するか、又は
ターゲットデータフレームの最初の時点の後に周波数オフセットに基づいてターゲットデータフレームに対して位相補償を実行するように構成される。
【０１６１】
送信ユニットが位相補償されたターゲットデータフレームを送信する時点は、第１のアクセスポイントがターゲットデータフレームを送信する時点と同じであり、
第１のアクセスポイントがターゲットデータフレームを送信する時点が第１の時点であり、ここで、第１の時点は、第１のアクセスポイントが位相ジャンプ値を送信する時点から第１の時間間隔離れた時点であり、位相ジャンプ値は、モノラル信号中に含まれ、
送信ユニット５０３が位相補償されたターゲットデータフレームを送信する時点が第２の時点であり、ここで、第２の時点は、第２のアクセスポイントが位相ジャンプエッジを検出する時点から第１の時間間隔離れた時点であり、位相ジャンプエッジは、位相ジャンプ値に関連付けられる。
【０１６２】
アクセスポイント５０に関与する特定の技術的特徴について、図３の方法実施形態における説明への参照がされ得ることを理解されたい。アクセスポイント５０は、この出願の実施形態において提供される例にすぎず、アクセスポイント５０は、示された構成要素よりも多い又はそれよりも少ない構成要素、２つ以上の構成要素の組合せ、又は別様に構成された構成要素を含み得る。
【０１６３】
この出願の実施形態は、他のアクセスポイントを提供する。図６に、アクセスポイントの例を示し、アクセスポイント６０は、図３の方法実施形態における第１のアクセスポイントである。
【０１６４】
図６に示すように、アクセスポイント６０は、処理ユニット６０１と、送信ユニット６０２とを含み得る。
【０１６５】
処理ユニット６０１は、モノラル信号を生成するように構成される、ここで、モノラル信号は、第１のキャリアと第２のキャリアとの間の周波数オフセットを決定するために利用され、第１のキャリアは、モノラル信号を送信するために第１のアクセスポイントによって利用され、第２のキャリアは、モノラル信号を受信するために第２のアクセスポイントによって利用される。
【０１６６】
送信ユニット６０２は、第２のアクセスポイントにモノラル信号を送信するように構成される。
【０１６７】
送信ユニット６０２は、第２のアクセスポイントにモノラル信号を送信する前に、第２のアクセスポイントに指示情報を送信するようにさらに構成される、ここで、指示情報は、モノラル信号の以下のパラメータ、即ち、モノラル信号の元の周波数及びモノラル信号の時間的な位置を示すために利用される。
【０１６８】
具体的には、モノラル信号は、第１のデータフレーム中に含まれる。第１のデータフレームは、ターゲットデータフレームをさらに含む。第１のデータフレーム中のモノラル信号の時間的な位置は、第１のデータフレーム中のターゲットデータフレームの時間的な位置よりも前にある。
【０１６９】
単位時間におけるモノラル信号の位相差変化の大きさは、モノラル信号の期間内の複数のサンプリング時点における位相差によって決定される。
【０１７０】
複数のサンプリング時点は、複数のモノラル信号の期間内のサンプリング時点を含む。
【０１７１】
周波数オフセットは、単位時間における複数のモノラル信号の位相差変化の大きさからモノラル信号の元の周波数を減算したものの平均値に等しい。
【０１７２】
単位時間におけるモノラル信号の位相差変化の大きさは、第１の期間内のモノラル信号の位相差変化の大きさを第１の期間で除算したものに等しく、ここで、第１の期間は、２つのモノラル信号の期間に２つのモノラル信号の期間の間の時間間隔を加算したものに等しい。
【０１７３】
モノラル信号の期間内の複数のサンプリング時点が少なくともモノラル信号の開始時点とモノラル信号の終了時点とを含む。
【０１７４】
第２のアクセスポイントが位相補償されたターゲットデータフレームを送信する時点は、送信ユニット６０２がターゲットデータフレームを送信する時点と同じであり、
送信ユニット６０２がターゲットデータフレームを送信する時点が第１の時点であり、ここで、第１の時点は、送信ユニット６０２が位相ジャンプ値を送信する時点から離れた第１の時間間隔である時点であり、位相ジャンプ値は、モノラル信号中に含まれ、
第２のアクセスポイントがターゲットデータフレームを送信する時点が第２の時点であり、ここで、第２の時点は、第２のアクセスポイントが位相ジャンプエッジを検出する時点から離れた第１の時間間隔である時点であり、位相ジャンプ値は、位相ジャンプエッジに関連付けられる。
【０１７５】
アクセスポイント６０に関与する特定の技術的特徴について、図３の方法実施形態における説明への参照がされ得ることを理解されたい。アクセスポイント６０は、この出願の実施形態において提供される例にすぎず、アクセスポイント６０は、示された構成要素よりも多い又はそれよりも少ない構成要素、２つ以上の構成要素の組合せ、又は別様に構成された構成要素を含み得る。
【０１７６】
この出願の実施形態は、さらに他のアクセスポイントを提供する。図７に、アクセスポイントの例を示し、アクセスポイント７０は、図３の方法実施形態における第２のアクセスポイントである。
【０１７７】
図７に示すように、アクセスポイント７０は、プロセッサ７０１と、メモリ７０２と、トランシーバ７０３とを含み得るし、ここで、トランシーバ７０３と、メモリ７０２と、メモリ７０２に結合されたプロセッサ７０１とは互いに接続される。
【０１７８】
メモリ７０２は、フラッシュメモリ又はハードディスクドライブなどのパーマネントメモリであり得る。メモリ７０２は、プロセッサ７０１によってアクセスされ呼び出され得る同期コードを格納するように構成される。
【０１７９】
トランシーバ７０３は、第１のアクセスポイントによって送信されたモノラル信号を受信するように構成される。
【０１８０】
プロセッサ７０１は、以下のステップを実行するためにメモリ７０２に格納された同期コードにアクセスし、それを呼び出すように構成される。
【０１８１】
ステップ１：第１のアクセスポイントによって送信され、トランシーバ７０３によって受信されたモノラル信号に基づいて第１のキャリアと第２のキャリアとの間の周波数オフセットを決定する、ここで、第１のキャリアは、第１のデータフレームを送信するためにアクセスポイント７０によって利用され得るし、第２のキャリアは、第１のデータフレームを受信するためにアクセスポイント７０によって利用され得る。
【０１８２】
ステップ２：第２のキャリアの位相と第１のキャリアの位相との間の差が第１の閾値以下になるように、周波数オフセットに基づいてターゲットデータフレームに対して位相補償を実行する。
【０１８３】
トランシーバ７０３は、第２のキャリアを利用することによって位相補償されたターゲットデータフレームを送信するようにさらに構成される。
【０１８４】
アクセスポイント７０に関与する特定の技術的特徴について、図３の方法実施形態における説明への参照が行われ得ることを理解されたい。アクセスポイント７０は、この出願の実施形態において提供される例にすぎず、アクセスポイント７０は、示された構成要素よりも多い又はそれよりも少ない構成要素、２つ以上の構成要素の組合せ、又は別様に構成された構成要素を含み得る。
【０１８５】
この出願の実施形態は、さらに他のアクセスポイントを提供する。図８に、アクセスポイントの例を示し、アクセスポイント８０は、図３の方法実施形態における第１のアクセスポイントである。
【０１８６】
図８に示すように、アクセスポイント８０は、プロセッサ８０１と、メモリ８０２と、トランシーバ８０３とを含み得るし、ここで、トランシーバ８０３と、メモリ８０２と、メモリ８０２に結合されたプロセッサ８０１とは互いに接続される。
【０１８７】
メモリ８０２は、フラッシュメモリ又はハードディスクドライブなどのパーマネントメモリであり得る。メモリ８０２は、プロセッサ８０１によってアクセスされ呼び出され得る同期コードを格納するように構成される。
【０１８８】
プロセッサ８０１は、モノラル信号を生成するためにメモリ８０２中に記憶された同期コードにアクセスし、それを呼び出すように構成される。モノラル信号は、第１のキャリアと第２のキャリアとの間の周波数オフセットを決定するために利用される、ここで、第１のキャリアは、モノラル信号を送信するために第１のアクセスポイントによって利用され、第２のキャリアは、モノラル信号を受信するために第２のアクセスポイントによって利用される。
【０１８９】
トランシーバ８０３は、第２のアクセスポイントにモノラル信号を送信するように構成される。
【０１９０】
トランシーバ８０３は、ターゲットデータフレームを送信するようにさらに構成される。
【０１９１】
アクセスポイント８０に関与する特定の技術的特徴について、図３の方法実施形態における説明への参照が行われ得ることを理解されたい。アクセスポイント８０は、この出願の実施形態において提供される例にすぎず、アクセスポイント８０は、示された構成要素よりも多い又はそれよりも少ない構成要素、２つ以上の構成要素の組合せ、又は別様に構成された構成要素を含み得る。
【０１９２】
任意選択で、実施形態における同期方法がソフトウェアによって全て又は部分的に実装されるとき、アクセスポイントは、代替として、プロセッサのみを含み得る。プログラムを格納するように構成されたメモリは、アクセスポイントの外側に位置する。プロセッサは、回路／ワイヤを利用することによってメモリに接続され、メモリに格納されたプログラムを読み取り、実行するように構成される。
【０１９３】
プロセッサは、中央処理ユニット（Ｃｅｎｔｒａｌ  Ｐｒｏｃｅｓｓｉｎｇ  ｕｎｉｔ、ＣＰＵ）、ネットワークプロセッサ（Ｎｅｔｗｏｒｋ  Ｐｒｏｃｅｓｓｏｒ、ＮＰ）又はＣＰＵとＮＰとの組合せであり得る。
【０１９４】
プロセッサは、ハードウェアチップをさらに含み得る。ハードウェアチップは、特定用途向け集積回路（Ａｐｐｌｉｃａｔｉｏｎ−ｓｐｅｃｉｆｉｃ  Ｉｎｔｅｇｒａｔｅｄ  Ｃｉｒｃｕｉｔ、ＡＳＩＣ）、プログラマブル論理デバイス（Ｐｒｏｇｒａｍｍａｂｌｅ  Ｌｏｇｉｃ  Ｄｅｖｉｃｅ、ＰＬＤ）、又はそれらの組合せであり得る。ＰＬＤは、複合プログラマブル論理デバイス（Ｃｏｍｐｌｅｘ  Ｐｒｏｇｒａｍｍａｂｌｅ  Ｌｏｇｉｃ  Ｄｅｖｉｃｅ、ＣＰＬＤ）、フィールドプログラマブルゲートアレイ（Ｆｉｅｌｄ−ｐｒｏｇｒａｍｍａｂｌｅ  Ｇａｔｅ  Ａｒｒａｙ、ＦＰＧＡ）、汎用アレイ論理（Ｇｅｎｅｒｉｃ  Ａｒｒａｙ  Ｌｏｇｉｃ、ＧＡＬ）、又はそれらの組合せであり得る。
【０１９５】
メモリは、ランダムアクセスメモリ（Ｒａｎｄｏｍ−Ａｃｃｅｓｓ  Ｍｅｍｏｒｙ、ＲＡＭ）などの揮発性メモリ（ｖｏｌａｔｉｌｅ  ｍｅｍｏｒｙ）を含み得る。メモリは、代替として、フラッシュメモリ（ｆｌａｓｈ  ｍｅｍｏｒｙ）、ハードディスクドライブ（Ｈａｒｄ  Ｄｉｓｋ  Ｄｒｉｖｅ、ＨＤＤ）又はソリッドステートドライブ（Ｓｏｌｉｄ−Ｓｔａｔｅ  Ｄｒｉｖｅ、ＳＳＤ）などの不揮発性メモリ（ｎｏｎ−ｖｏｌａｔｉｌｅ  ｍｅｍｏｒｙ）を含み得る。代替として、メモリは、上記のタイプのメモリの組合せを含み得る。
【０１９６】
この出願の実施形態は、コンピュータプログラムを記憶する可読記憶媒体をさらに提供し、ここで、コンピュータプログラムは、上記の実施形態において提供される同期方法を実行するように構成される。
【０１９７】
この出願の実施形態は、命令を含むコンピュータプログラム製品をさらに提供し、ここで、コンピュータプログラム製品がコンピュータ上で実行されるとき、コンピュータは、上記の実施形態において提供される同期方法を実行することが可能になる。
【０１９８】
この出願の実施形態が方法、システム、又はコンピュータプログラム製品として提供され得ることを、当業者は理解されたい。従って、この出願は、ハードウェアのみの実施形態、ソフトウェアのみの実施形態、又はソフトウェアとハードウェアとの組合せを用いる実施形態の形態を利用し得る。さらに、この出願は、コンピュータが利用可能なプログラムコードを含む（限定はしないが、ディスクメモリ、ＣＤ−ＲＯＭ、光メモリなどを含む）１つ又は複数のコンピュータが利用可能な記憶媒体上に実装されるコンピュータプログラム製品の形態を利用し得る。
【０１９９】
この出願の明細書、特許請求の範囲、及び添付の図面において、「第１の」及び「第２の」という用語は、同様のオブジェクトの間を区別するよう意図されるものであるが、必ずしも特定の順序又はシーケンスを示すとは限らない。そのような方法で呼ばれるデータは、適切な状況では交換可能であり、従って、ここで説明するこの出願の実施形態は、ここで図示又は説明する順序以外の順序で実装され得ることを理解されたい。さらに、「含む」という用語及び任意の他の変形形態は、非排他的な包含、例えば、必ずしも明確にリストされたステップ又はユニットに限定されるとは限らないステップ又はユニットのリストを含む処理、方法又はデバイス（アクセスポイント）をカバーするよう意図されるものであるが、明示的にリストされていない、又はそのような処理、方法、又はデバイス（アクセスポイント）に固有の他のステップ又はユニットを含み得る。
【０２００】
この出願について、この出願の実施形態における方法、デバイス（システム）、及びコンピュータプログラム製品のフローチャート及び／又はブロック図を参照しながら説明する。コンピュータプログラム命令が、フローチャート及び／又はブロック図中の各処理及び／又は各ブロックならびにフローチャート及び／又はブロック図中の処理及び／又はブロックの組合せを実装するために利用され得ることを理解されたい。これらのコンピュータプログラム命令は、機械を生成するために汎用コンピュータ、専用コンピュータ、組込みプロセッサ、又は他のプログラマブルデータ処理デバイスのプロセッサのために提供され得るし、従って、コンピュータ又は他のプログラマブルデータ処理デバイスのプロセッサによって実行される命令は、フローチャート中の１つ若しくは複数の処理中の及び／又はブロック図中の１つ若しくは複数のブロック中の特定の機能を実装するための装置を生成する。
【０２０１】
これらのコンピュータプログラム命令は、コンピュータ又は他のプログラマブルデータ処理デバイスに特定の方式で動作するように命令することができるコンピュータ可読メモリ中に記憶され得るし、従って、コンピュータ可読メモリ中に記憶された命令は、命令装置を含む人工物を生成する。命令装置は、フローチャート中の１つ又は複数の処理中の及び／又はブロック図中の１つ若しくは複数のブロック中の特定の機能を実装する。
【０２０２】
これらのコンピュータプログラム命令は、コンピュータ又は他のプログラマブルデータ処理デバイス上にロードされ得るし、従って、一連の動作及びステップが、コンピュータ実行処理を生成するためにコンピュータ又は他のプログラマブルデバイスに対して実行される。従って、コンピュータ又は他のプログラマブルデバイス上で実行される命令は、フローチャート中の１つ又は複数の処理中の及び／又はブロック図中の１つ又は複数のブロック中の特定の機能を実装するためのステップを与える。
【図１ａ】
2021500821.tif 000003
【図１ｂ】
2021500821.tif 000004
【図１ｃ】
2021500821.tif 000005
【図２ａ】
2021500821.tif 000006
【図２ｂ】
2021500821.tif 000007
【図３】
2021500821.tif 000008
【図４ａ】
2021500821.tif 000009
【図４ｂ】
2021500821.tif 000010
【図４ｃ】
2021500821.tif 000011
【図４ｄ】
2021500821.tif 000012
【図４ｅ】
2021500821.tif 000013
【図４ｆ】
2021500821.tif 000014
【図４ｇ】
2021500821.tif 000015
【図５】
2021500821.tif 000016
【図６】
2021500821.tif 000017
【図７】
2021500821.tif 000018
【図８】
2021500821.tif 000019
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
第２のアクセスポイントによって、第１のアクセスポイントによって送信されたモノラル信号を受信するステップと、
前記第２のアクセスポイントによって、前記モノラル信号に基づいて第１のキャリアと第２のキャリアとの間の周波数オフセットを決定するステップであって、前記第１のキャリアは、前記モノラル信号を送信するために前記第１のアクセスポイントによって利用され、前記第２のキャリアは、前記モノラル信号を受信するために前記第２のアクセスポイントによって利用される、ステップと、
前記第２のアクセスポイントによって、前記第２のキャリアの位相と前記第１のキャリアの位相との間の差が第１の閾値以下になるように、前記周波数オフセットに基づいてターゲットデータフレーム上での位相補償を実行するステップと、
前記第２のアクセスポイントによって、前記第２のキャリアを利用することによって、位相補償されたターゲットデータフレームを送信するステップと、
を含む、同期方法。
【請求項２】
第１のアクセスポイントによって送信されたモノラル信号を第２のアクセスポイントによって受信する前記ステップの前に、前記方法は、
前記第２のアクセスポイントによって、前記第１のアクセスポイントによって送信された指示情報を受信するステップであって、前記指示情報は、前記モノラル信号の以下のパラメータ、即ち、前記モノラル信号の元の周波数、及び前記モノラル信号の時間的な位置、を示すために利用される、ステップさらに含む、
請求項１に記載の方法。
【請求項３】
単位時間における前記モノラル信号の位相差変化の大きさは、前記モノラル信号の期間内での複数のサンプリング時点における位相差によって決定される、
請求項１又は２に記載の方法。
【請求項４】
前記第２のアクセスポイントによって、前記周波数オフセットに基づいて、ターゲットデータフレーム上での位相補償を実行する前記ステップは、特に、
前記第２のアクセスポイントによって、前記ターゲットデータフレームの開始時点での前記周波数オフセットに基づいて、前記ターゲットデータフレーム上での位相補償を実行するステップ、又は
前記第２のアクセスポイントによって、前記ターゲットデータフレームの開始時点より前の前記周波数オフセットに基づいて、前記ターゲットデータフレーム上での位相補償を実行するステップ、又は
前記第２のアクセスポイントによって、前記ターゲットデータフレームの開始時点より後の前記周波数オフセットに基づいて、前記ターゲットデータフレーム上での位相補償を実行するステップである、
請求項１に記載の方法。
【請求項５】
前記第２のアクセスポイントが前記位相補償されたターゲットデータフレームを送信する時点は、前記第１のアクセスポイントが前記ターゲットデータフレームを送信する時点と同じであり、
前記第１のアクセスポイントが前記ターゲットデータフレームを送信する前記時点は、第１の時点であり、前記第１の時点は、前記第１のアクセスポイントが位相ジャンプ値を送信する時点から第１の時間間隔だけ離れた時点であり、前記位相ジャンプ値は、前記モノラル信号に含まれ、
前記第２のアクセスポイントが前記位相補償されたターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプエッジは、前記位相ジャンプ値に関連付けられている、
請求項１に記載の方法。
【請求項６】
第１のアクセスポイントによって、モノラル信号を生成するステップであって、前記モノラル信号は、第１のキャリアと第２のキャリアとの間の周波数オフセットを決定するために利用され、前記第１のキャリアは、前記第１のアクセスポイントによって、前記モノラル信号を送信するために利用され、前記第２のキャリアは、第２のアクセスポイントによって、前記モノラル信号を受信するために利用される、ステップと、
前記第１のアクセスポイントによって、前記モノラル信号を前記第２のアクセスポイントに送信するステップと
を含む、同期方法。
【請求項７】
前記第１のアクセスポイントによって、前記モノラル信号を前記第２のアクセスポイントに送信する前記ステップより前に、前記方法は、
前記第１のアクセスポイントによって、指示情報を前記第２のアクセスポイントに送信するステップであって、前記指示情報は、前記モノラル信号の以下のパラメータ、即ち、前記モノラル信号の元の周波数、及び前記モノラル信号の時間的な位置、を示すために利用される、ステップをさらに含む、
請求項６に記載の方法。
【請求項８】
単位時間における前記モノラル信号の位相差変化の大きさは、前記モノラル信号の期間内での複数のサンプリング時点における位相差によって決定される、
請求項６又は７に記載の方法。
【請求項９】
前記第２のアクセスポイントが、位相補償されたターゲットデータフレームを送信する時点は、前記第１のアクセスポイントが前記ターゲットデータフレームを送信する時点と同じであり、
前記第１のアクセスポイントが前記ターゲットデータフレームを送信する前記時点は、第１の時点であり、前記第１の時点は、前記第１のアクセスポイントが位相ジャンプ値を送信する時点から第１の時間間隔だけ離れた時点であり、前記位相ジャンプ値は、前記モノラル信号に含まれ、
前記第２のアクセスポイントが前記位相補償されたターゲットデータフレームを送信する前記時点は、第２の時点であり、前記第２の時点は、前記第２のアクセスポイントが位相ジャンプエッジを検出する時点から前記第１の時間間隔だけ離れた時点であり、前記位相ジャンプ値は、前記位相ジャンプエッジに関連付けられている、
請求項６に記載の方法。
【請求項１０】
アクセスポイントであって、前記アクセスポイントは、第２のアクセスポイントであり、請求項１〜５のいずれか１項に記載の前記方法を実行するように構成された、
アクセスポイント。
【請求項１１】
アクセスポイントであって、前記アクセスポイントは、第１のアクセスポイントであり、
請求項６〜９のいずれか１項に記載の前記方法を実行するように構成された、
アクセスポイント。
【請求項１２】
請求項１〜５のいずれか１項に記載の前記方法をコンピュータに実行させるためのプログラム。
【請求項１３】
請求項６〜９のいずれか１項に記載の前記方法をコンピュータに実行させるためのプログラム。
【請求項１４】
請求項１〜５のいずれか１項に記載の前記方法を実行するように構成された第２のアクセスポイントと、請求項６〜９のいずれか１項に記載の前記方法を実行するように構成された第１のアクセスポイントとを含む、通信システム。
【国際調査報告】
2021500821.tif 000020
2021500821.tif 000021
2021500821.tif 000022
2021500821.tif 000023